(57)【要約】【課題】各種ＡＶ機器の音量調整、音質調整等に用いられる回転操作型電子部品に関し、操作軸の抜け止めを確実に行うことができて、組立作業性が良く、作業工数も低減できるものを提供することを目的とする。【解決手段】回転体２３には、操作軸２１の第一段部２１Ｅから下方が滑らかに挿通可能なように、水平断面が略矩形の作動部２１Ｂの投影面積と同じ形状の貫通孔２３Ｃが設けられ、かつその貫通孔２３Ｃの矩形の長手方向に直交する方向で、その貫通孔２３Ｃと同じ形状の下方開口の窪み２３Ｅを設けたものとし、上記貫通孔２３Ｃに挿通された操作軸２１を９０度回転させて引き上げた際、上記窪み２３Ｅに作動部２１Ｂが嵌め込まれて組み合わされる構成とした。【選択図】図１
2007311153.tif 000002
【特許請求の範囲】
【請求項１】
回転電気部材を備えた回転体と、この回転体が回転されて上記回転電気部材との接触により電気信号を生じる固定電気部材を備えた基体と、この基体の上方に固定された軸受と、この軸受で回転可能に保持され、上記回転体を回転操作する操作軸とを備え、上記操作軸は、第一段部の上方が操作部で、その第一段部の下方が棒状の中間部そしてさらにその中間部下端が第二段部を境に作動部としてなり、この作動部は水平断面が略矩形で、その略矩形の長手方向の寸法が上記中間部の外形寸法より大きな寸法になされており、上記回転体は、中心に上記操作軸の第一段部より下方が挿通可能なようにその投影面積に合わせた形状で、上記操作軸の中間部の長さより短い長さの貫通孔を有し、上記略矩形の作動部の長手方向に直交する方向に上記作動部が嵌り込む下方開口の窪みが下面に設けられており、上記回転体の貫通孔に挿通された上記操作軸は、その作動部が上記窪み内に位置されて両者の係合により上記回転体を回転操作可能となし、かつ上記第二段部が上記窪みの天面に当接係止して上方への抜け止めがなされた構成としたことを特徴とする回転操作型電子部品。
【請求項２】
操作軸の下方に押圧スイッチが設けられ、上記操作軸の作動部と回転体の窪みとの上下方向の重なり寸法が上記押圧スイッチの操作距離より長く設定されて、上記操作軸で上記押圧スイッチを操作可能に上下動作可能とされている請求項１記載の回転操作型電子部品。
【発明の詳細な説明】
【技術分野】
【０００１】
本発明は、各種ＡＶ機器の音量調整、音質調整等に用いられる回転操作型電子部品に関するものである。
【背景技術】
【０００２】
近年、各種電子機器が普及し、特にカーステレオのメニュー切替や音量調整等の入力操作部に回転操作型電子部品が多用されているなか、それら電子部品の低価格化の要望が強くなっている。
【０００３】
以下、従来の回転操作型電子部品として、回転操作型エンコーダを例として、図１３〜図１４を用いて説明する。
【０００４】
図１３は従来の回転操作型エンコーダの断面図、図１４は同操作軸の組み合わせ作業を説明する図であり、同図において、１は金属棒からなる操作軸で、上部が操作部１Ｅ、その下方が中間円形部１Ａ、そのリング状溝部１Ｄから下方は水平断面が小判形の作動部１Ｂとなっている。そして、上記中間円形部１Ａ下端にはリング状溝部１Ｄが設けられている。
【０００５】
２は、軸受であり、矩形の平板部２Ｃの中央部分が円形状に上方に突出した円形突部２Ｄの内側が下方開口の円形開口部２Ａとなり、その突出した上面中央には小円形孔２Ｂが設けられている。
【０００６】
そして、上記操作軸１の操作部１Ｅ下方が軸受２の小円形孔２Ｂに上方から挿通されて、軸受２の小円形孔２Ｂの下側に突出した中間円形部１Ａ下端のリング状溝部１Ｄ内に、Ｃ形リング３が取り付けられて操作軸１の抜け止め部が構成されており、操作軸１は回転操作及び上下操作が可能なようにその中間円形部１Ａが小円形孔２Ｂで嵌合保持されている。
【０００７】
そして、上記軸受２の平板部２Ｃ下面には、円形開口部２Ａと同心となるように弾性金属薄板からなるリング状の押えバネ４が装着されており、その押えバネ４は成形樹脂製の回転体５上面との間で挟み込まれている。当該構成部分で回転体５が回転操作された時の回転トルクを発生させている。
【０００８】
上記回転体５は、下面に導電性金属からなる平面接点板６をインサート成形して固定した円板部５Ａと、その中心に垂直に突設された円筒部５Ｂからなり、この円筒部５Ｂが上記軸受２の円形開口部２Ａに下方から挿入されて、回転運動が可能なようにその外周を嵌合保持されている。そして、その円筒部５Ｂの中心に設けられ、上記操作軸１の作動部１Ｂの水平断面と同形状の小判形の貫通孔５Ｃに、上記操作軸１の作動部１Ｂが、回転運動は伝達されるが上下動作は伝わらないように挿通されている。
【０００９】
回転体５の円板部５Ａの下面に固定された平面接点板６は、放射状に孔があけられて櫛歯状にその表面が露出している。一方、その下方位置には、導電性の弾性金属薄板からなる複数の弾性脚８を絶縁樹脂でインサート成形固定した固定基板７が所定の間隔をあけて配されており、この固定基板７から伸ばされた複数の弾性脚８の先端の弾性接点９が、対向する上記平面接点板６が櫛歯状で露出した円板部５Ａ下面に各々弾接している。また、上記固定基板７は上方開口箱型に形成されており、上記回転体５の円板部５Ａは、固定基板７と軸受２の平板部２Ｃ下面とで構成される空間内に内包されている。
【００１０】
さらに固定基板７の下方にはスイッチ基板１０が配置され、そのスイッチ基板１０の上面中央の凹部１０Ａ内には、上記操作軸１の軸心と同心位置に中央固定接点１１Ａおよびその外周位置に外周固定接点１１Ｂがインサート成形により固定されており、外周固定接点１１Ｂ上には弾性金属薄板製のドーム状可動接点１２の外周下端が載せられている。そして、ドーム状可動接点１２の上部に略円板状のプッシュ板１４が載せられて押圧スイッチ部１３が構成されていると共に、そのプッシュ板１４の上方部分は、固定基板７の中孔を介して上方に突出しており、その上端面に上記操作軸１の下端部１Ｃが当接している。この状態において、操作軸１のリング状溝部１Ｄに挿入されたＣ形リング３は、軸受２の円形開口部２Ａを構成する天面に当接している。
【００１１】
そして、１５は、コの字形の取付金具であり、軸受２の円形突部２Ｄをその中央孔から上方に突出させるようにして、軸受２の上方側から、軸受２、固定基板７およびスイッチ基板１０を重ね合わせて脚部１５Ａで挟み込み、スイッチ基板１０の底面で脚部１５Ａ先端を折り曲げることにより全体が連結固定されて回転操作型エンコーダとして構成されている。
【００１２】
次にこの回転操作型エンコーダの動作について説明すると、まず操作軸１の操作部１Ｅを回転操作することにより、操作軸１の作動部１Ｂが嵌合された貫通孔５Ｃを介して回転体５が回転させられ、平面接点板６が櫛歯状で露出した円板部５Ａ下面に対し複数の弾性接点９が各々摺動接触して弾性脚部８に接続された端子１６からパルス信号が得られる。この回転操作時には操作軸１は上下方向には動かず、押圧スイッチ部１３は動作しない。
【００１３】
次に、操作軸１の操作部１Ｅに押し力を加えて下方に押下すると、その下端部１Ｃがプッシュ板１４を介してドーム状可動接点１２を押すことによって押圧スイッチ部１３がオンし、操作部１Ｅに加えた押し力を解除すると、ドーム状可動接点１２が自己復元して押圧スイッチ部１３がオフ状態の元の図１３に示す状態に戻る。
【００１４】
この操作軸１の押圧操作時に、回転体５は下方へは動かず、勿論回転運動もしないので、押圧スイッチ部１３のみが動作するものであった。
【００１５】
なお、この出願の発明に関連する先行技術文献情報としては、例えば、特許文献１が知られている。
【特許文献１】特開平１１−１３５３１０号公報
【発明の開示】
【発明が解決しようとする課題】
【００１６】
しかしながら、上記従来の回転操作型電子部品（回転操作型エンコーダ）においては、図１４の操作軸にＣ形リングを取り付ける図に示すように、操作軸１の下端部１Ｃ側からＣ形リング３を広げて作動部１Ｂに嵌め、その作動部１Ｂを通過させて、上部のリング状溝部１Ｄまで移動させてリング状溝部１Ｄに嵌め込んで操作軸１の抜け止め部を形成するもののため、この方式ではＣ形リング３を必要とすると共に、その嵌め込み作業は、軸受２の円形開口部２Ａ内で行う作業であり、嵌め込み状態を確認するのが非常に難しく、作業性も悪いため、作業工数がかかるという課題を有していた。
【００１７】
本発明は、このような従来の課題を解決するものであり、操作軸の抜け止めを確実に行うことができて、組立作業性が良く、作業工数も低減できる回転操作型電子部品を提供することを目的とする。
【課題を解決するための手段】
【００１８】
上記目的を達成するために本発明は、以下の構成を有するものである。
【００１９】
本発明の請求項１に記載の発明は、回転電気部材を備えた回転体と、この回転体が回転されて上記回転電気部材との接触により電気信号を生じる固定電気部材を備えた基体と、この基体の上方に固定された軸受と、この軸受で回転可能に保持され、上記回転体を回転操作する操作軸とを備え、上記操作軸は、第一段部の上方が操作部で、その第一段部の下方が棒状の中間部そしてさらにその中間部下端が第二段部を境に作動部としてなり、この作動部は水平断面が略矩形で、その略矩形の長手方向の寸法が上記中間部の外形寸法より大きな寸法になされており、上記回転体は、中心に上記操作軸の第一段部より下方が挿通可能なようにその投影面積に合わせた形状で、上記操作軸の中間部の長さより短い長さの貫通孔を有し、上記略矩形の作動部の長手方向に直交する方向に上記作動部が嵌り込む下方開口の窪みが下面に設けられており、上記回転体の貫通孔に挿通された上記操作軸は、その作動部が上記窪み内に位置されて両者の係合により上記回転体を回転操作可能となし、かつ上記第二段部が上記窪みの天面に当接係止して上方への抜け止めがなされた構成としたことを特徴とする回転操作型電子部品としたものである。
【００２０】
この構成により、操作軸の作動部を回転体の貫通孔に挿通させた後、操作軸をその軸線中心を回転中心として９０°回転させてから作動部が回転体の窪みに嵌り込むまで上方向に引き上げるのみで操作軸が固定され、操作軸の上方への抜け止めがなされると共に、操作軸の回転運動を回転体に伝えることもできるため、簡単な構成で確実な操作軸の抜け止め機構を備えたものにでき、組み立て作業の効率化および作業工数の低減を図ることができるという作用を有する。
【００２１】
請求項２に記載の発明は、請求項１記載の発明において、操作軸の下方に押圧スイッチが設けられ、上記操作軸の作動部と回転体の窪みとの上下方向の重なり寸法が上記押圧スイッチの操作距離より長く設定されて、上記操作軸で上記押圧スイッチを操作可能に上下動作可能とされているものである。
【００２２】
これにより、操作軸の回転運動を回転体に伝えると共に、操作軸の上下操作に際しては、回転体にその運動を伝えることなく押圧スイッチが操作可能なものにでき、押圧スイッチを備えた回転操作型電子部品を容易に構成できるという作用を有する。
【発明の効果】
【００２３】
以上のように本発明によれば、Ｃ形リングが不要でその取り付け工程も不要としながら、操作軸の確実な抜け止めの確保ができると共に、組立作業工数の低減が図れる回転操作型電子部品を提供することができるという有利な効果が得られる。
【発明を実施するための最良の形態】
【００２４】
以下、本発明の実施の形態について、図１〜図１２を用いて説明する。
【００２５】
なお、従来の技術の項で説明した構成と同一構成の部分には同一符号を付して、詳細な説明を簡略化する。
【００２６】
また、回転操作型電子部品として、従来と同様に回転操作型エンコーダを例として説明する。
【００２７】
（実施の形態）
図１は本発明の一実施の形態による回転操作型エンコーダの断面図、図２は同要部である操作軸の外観斜視図である。
【００２８】
同図において、２１は金属棒からなる操作軸であり、大径の略円柱状に形成された上方の操作部２１Ｄ下方に中間部２１Ａを備え、さらにその中間部２１Ａ下方に作動部２１Ｂを備えている。
【００２９】
そして、操作部２１Ｄ下端の第一段部２１Ｅの下方に設けられた中間部２１Ａは、水平断面が略小判形に形成されている。その形状としては、操作部２１Ｄに同心で設けられた操作部２１Ｄよりも小さな外径の円柱の周面が軸線方向に沿って対向する平面で切断された側面形状で形成されている。
【００３０】
また、中間部２１Ａ下方に続く作動部２１Ｂは、水平断面が略矩形に形成されており、その作動部２１Ｂの側面は、上記中間部２１Ａの側面と同一平面で形成されている。そして、この作動部２１Ｂは、中間部２１Ａ下端の第二段部２１Ｆから下方が上記中間部２１Ａより拡径した形状、つまり作動部２１Ｂの略矩形における長手方向の寸法が、上記中間部２１Ａの小判における長手寸法より大きな寸法に設定されている。なお、操作軸２１の下端部２１Ｃとなる作動部２１Ｂの下面は平板状に構成されている。
【００３１】
２２は、中心に嵌合孔２２Ａを有した円形突部２２Ｂが、平板部２２Ｃの中央位置で上方に突出形成された軸受で、この軸受２２の嵌合孔２２Ａ上部に上記操作軸２１の操作部２１Ｄ下部が、回転運動及び上下動が可能に嵌合保持されている。
【００３２】
２３は、円板部２３Ａの上面中心に垂直に突出した円筒部２３Ｂを有する絶縁樹脂製の回転体であり、その円板部２３Ａ下面には回転電気部材としてなる平面接点板６がインサート成形により固定されている。上記平面接点板６は、環状の導電性金属薄板に放射状に孔があけられて形成されており、円板部２３Ａ下面に櫛歯状で露出する接点を構成している。
【００３３】
そして、円筒部２３Ｂの孔形状は、上端位置に設けられた貫通孔２３Ｃ下端から下方に向けて次第に広がった開口部２３Ｄになっている。上記貫通孔２３Ｃは、上記操作軸２１の第一段部２１Ｅから下方が滑らかに挿通可能なように、その投影面積と同じ形状に設けられている。つまり、この実施の形態では操作軸２１の作動部２１Ｂと同じ形状の略矩形状の貫通孔２３Ｃに設けられており、上記開口部２３Ｄは貫通孔２３Ｃを構成する最大寸法である矩形における長手側の径方向の寸法位置から下方に向けて次第に広がっている。
【００３４】
また、上記貫通孔２３Ｃの矩形の長手方向側の対向平面と直交する方向に、その貫通孔２３Ｃと同じ矩形状で下方開口の窪み２３Ｅが設けられている。つまり、その窪み２３Ｅを構成する矩形の中心と上記貫通孔２３Ｃの矩形の中心は、同心であり、矩形の中心を回転中心として９０度回転した形状となっており、一方が貫通し、他方は上方が閉塞されたものとなっている。
【００３５】
なお、操作軸２１の中間部２１Ａの長さは、上記回転体２３の貫通孔２３Ｃの長さより長く設定されている。
【００３６】
そして、上記操作軸２１は、上記貫通孔２３Ｃで中間部２１Ａが回転可能に保持され、上記窪み２３Ｅ内に上記操作軸２１の下方の作動部２１Ｂが組み合わされている。つまり、図１にも示すように、その水平断面の形状が矩形の作動部２１Ｂが窪み２３Ｅに係合されることによって操作軸２１の回転運動は回転体２３に伝達されるが上下運動は伝わらないようになっている。
【００３７】
そして、上記回転体２３は、その円筒部２３Ｂの外周面が上記軸受２２の嵌合孔２２Ａに回転可能に嵌合保持されている。
【００３８】
なお、上記軸受２２の下面には、嵌合孔２２Ａと同心となるように弾性薄板金属製のリング状の押えバネ４が組み合わされ、曲げ加工された撓み部分が回転体２３の円板部２３Ａ上面に弾接しており、回転体２３の回転に伴って押えバネ４が摺動して適度な回転トルクを発生させる構成となっている。
【００３９】
また、回転体２３の平面接点板６が固定された円板部２３Ａの下方位置には、導電性の弾性金属薄板からなる複数の弾性脚８を絶縁樹脂でインサート成形固定した上方開口箱型の固定基板７が配されており、この固定基板７から伸ばされた各弾性脚８の先端の弾性接点９が、対向した円板部２３Ａ下面の上記平面接点板６で櫛歯状に形成された接点面に各々弾接している。すなわち、当該実施の形態のものでは、弾性脚８が固定電気部材、固定基板７が基体としてなる部材となる。
【００４０】
なお、回転体２３の円板部２３Ａの下面には、その外周部に細幅リング状の外周突起２３Ｆと上記開口部２３Ｄ端部外周に細幅リング状の内周突起２３Ｇとが設けられており、両者ともに上記固定基板７面に当接して回転体２３は支持されている。
【００４１】
これらの外周突起２３Ｆ、内周突起２３Ｇは、固定基板７から伸びた弾性脚８と平面接点板６との間隔を確保して弾性接点９と平面接点板６との電気的接続の安定性を得ることにも寄与している。なお、回転体２３の円筒部２３Ｂの外周面が上記軸受２２の嵌合孔２２Ａに嵌合保持されているので、操作軸２１による回転体２３の回転運動は滑らかに行われる。
【００４２】
そして、上記固定基板７の下方にはスイッチ基板１０が配置され、その上面中央の凹部１０Ａ内には、上記操作軸２１と同心位置の中央固定接点１１Ａとその中央固定接点１１Ａを挟む外周の等距離位置に外周固定接点１１Ｂがインサート成形により固定されており、外周固定接点１１Ｂ上には弾性金属薄板製のドーム状可動接点１２の外周下端が載せられ、さらにその上方にプッシュ板１４が載置されて押圧スイッチ部１３が構成されている。
【００４３】
ここで、上記操作軸２１の作動部２１Ｂと回転体２３の窪み２３Ｅとの係合長さは、押圧スイッチ部１３の動作距離より長く設定されている。
【００４４】
そして、上記プッシュ板１４は、上記固定基板７の中孔から上方部分が露出しており、そのプッシュ板１４上端面に上記操作軸２１の下端部２１Ｃが当接している。この状態において、操作軸２１の第二段部２１Ｆは、回転体２３の下方開口の窪み２３Ｅ天面に当接している。
【００４５】
そして、軸受２２の円形突部２２Ｂを中央孔から上方に突出させるようにして、軸受２２の平板部２２Ｃの上面側から、回転体２３を内包状態として軸受２２、固定基板７、スイッチ基板１０を重ね合わせてコの字形の取付金具１５が装着され、スイッチ基板１０の底面で脚部１５Ａ先端を折り曲げることにより全体が連結固定されている。
【００４６】
ここで、軸受２２の嵌合孔２２Ａを介して操作軸２１と回転体２３とを組み合わせる手順について説明する。
【００４７】
図３は、押えバネ４が取り付けられた軸受２２の嵌合孔２２Ａに回転体２３の円筒部２３Ｂを下方から嵌め込むと共に、操作軸２１の第一段部２１Ｅから下方を回転体２３の貫通孔２３Ｃに上方から挿通させた状態の断面図であり、図４は、図３の状態の底面図である。
【００４８】
同図に示したように、まず、操作軸２１の作動部２１Ｂを回転体２３の貫通孔２３Ｃと同じ方向に合わせて、上記軸受２２の嵌合孔２２Ａ上方から上記回転体２３の貫通孔２３Ｃへ挿入し、第一段部２１Ｅが回転体２３の円筒部２３Ｂ上面に当接した状態とする。この状態において、操作軸２１の中間部２１Ａの長さは、貫通孔２３Ｃより長く設けられているので、作動部２１Ｂの全ての部分は貫通孔２３Ｃ下方の開口部２３Ｄ内に位置している。
【００４９】
続いて、操作軸２１をその軸線中心を回転中心として回転体２３に対して相対的に回転させる。このとき、操作軸２１の作動部２１Ｂは回転体２３の貫通孔２３Ｃ下方の開口部２３Ｄ内に位置しているので、操作軸２１を回転体２３に対して相対的に回転させることが可能となる。図５および図６に、操作軸２１を操作部２１Ｄ側から見て右回転で４５度回転した時の回転途中状態を示す。
【００５０】
そして、図７および図８に示すように、操作軸２１をさらに回転させていき、図３、図４で示した操作軸２１の挿入時の位置から９０度回転させ、操作軸２１の作動部２１Ｂと回転体２３の窪み２３Ｅとの位置を上下で合致させる。
【００５１】
その状態から、図９に示すように、操作軸２１の第二段部２１Ｆが回転体２３の窪み２３Ｅ天面に当接するまで操作軸２１を上方に引き上げることにより、操作軸２１と回転体２３との組み合わせが完了する。なお、その状態で、操作軸２１の操作部２１Ｄ下部が、軸受２２の嵌合孔２２Ａで保持されるように嵌合孔２２Ａの長さ等を設定している。
【００５２】
なお、操作軸２１の小判形の中間部２１Ａは、円柱形としても良い。但し、このときも作動部２１Ｂは上記同様の水平断面で略矩形または小判形状のものとし、その略矩形や小判形状を構成する対向する側面で回転体２３に回転運動を伝えるようにすると共に、上記作動部２１Ｂの略矩形または小判形状の長手側の寸法を、上記円柱形に形成された中間部の外径より拡径させておくことが重要である。つまり、その寸法差が第二段部としてなり抜け止め用の係止部分となるためである。
【００５３】
次に、この回転操作型エンコーダの動作について説明すると、まず操作軸２１の操作部２１Ｄを回転操作すると、操作軸２１の回転運動に伴って回転体２３が回転して、平面接点板６が固定されて構成された櫛歯状の接点面に対し弾性脚８から伸びた複数の弾性接点９が各々摺動接触して弾性脚８に接続された端子１６からパルス信号が得られる。この回転操作時には操作軸２１は上下方向には動かず、押圧スイッチ部１３は動作しない。
【００５４】
一方、図１０に示す図中の矢印のように、操作軸２１の操作部２１Ｄに押し力を加えて下方に動かすと、その下端部２１Ｃがプッシュ板１４を介して、ドーム状可動接点１２を押してドーム状部分を弾性反転させ、その下面が対向した中央固定接点１１Ａに接触する。これにより、ドーム状可動接点１２を介して外周固定接点１１Ｂと中央固定接点１１Ａ間が電気的に導通し、押圧スイッチ部１３がオンする。この操作軸２１の押圧時に、回転体２３は下方へは動かず、勿論回転運動もしないのでパルス信号の出力はされない。
【００５５】
そして、操作軸２１の操作部２１Ｄへの押圧を解除すると、ドーム状可動接点１２の復元力によって、プッシュ板１４が上方に押し上げられ、それに伴い操作軸２１も押し戻されて押圧スイッチ部１３がオフの元の図１に示す状態に戻る。
【００５６】
なお、この押圧スイッチ部１３の操作距離は、操作軸２１の第一段部２１Ｅが回転体２３の円筒部２３Ｂ上面に当接するまでの移動量よりも小さい設定としている。つまり、上記スイッチ操作時にも第一段部２１Ｅと回転体２３の円筒部２３Ｂ上面との間に空間が確保されるようにしている。
【００５７】
また、作動部２１Ｂが回転体２３の窪み２３Ｅ内に重なっている寸法は、上記押圧スイッチ部１３の操作距離より長く設定してあるため、そのスイッチ操作時にも操作軸２１の第二段部２１Ｆが窪み２３Ｅ内から外れることもなく、その係合形状からして操作軸２１の上下操作に際し回転体２３を回転運動させずに押圧スイッチ部１３を操作可能としている。
【００５８】
このように本実施の形態によれば、従来のようにＣ形リングを用いたりせず、またその取り付け工程なども必要とせずに、操作軸２１を回転体２３の貫通孔２３Ｃに挿通した後、９０度回転させてから引き上げるのみで、回転体２３の窪み２３Ｅ上面で操作軸２１の第二段部２１Ｆ上面が固定係止された操作軸２１の抜け止め機構を有するものにできる。
【００５９】
また、上述したように操作軸２１でスイッチ操作可能なものとすると、その回転運動及び上下動作可能な回転操作型エンコーダ（回転操作型電子部品）を、容易に実現できると共に、その組立作業効率は良く作業工数を低減させることができる。
【００６０】
なお、上記には、押圧スイッチ部１３としてドーム状可動接点１２を用いた操作ストロークの短いスイッチを備えさせた構成の実施の形態を説明したが、図１１に示すように、傾斜した舌片を中央位置に備えた板状可動接点２４上に、お椀を伏せた形状のラバードーム２５を重ねて構成される操作ストロークの長いスイッチを備えさせた回転操作型エンコーダとしても良く、この場合でも操作軸２６の作動部２６Ａと回転体２７の窪み２７Ａとの係合寸法などは上述と同様の設定とすれば良い。なお、そのスイッチ構成としては、上記に説明したものに限られず、例えばプッシュ板１４を無くしたもの等としてもよい。
【００６１】
また、図１２に示すように、スイッチ基板１０の代わりに底板部材２８を配して、その底板部材２８の中央に設けた凸部２８Ａを操作軸２１の下端部２１Ｃと当接させたもの、つまり操作軸２１の上下動作を規制して押圧スイッチ部を備えない形態としても良い。この場合には、さらには底板部材２８と固定基板７を一体形成したもの等としても良い。
【００６２】
なお、以上には回転操作で動作する機能部としてエンコーダを用いたものを説明したが、その代わりに可変抵抗器あるいはその他回転操作によって動作する機能部を有するものであっても良い。またエンコーダとしても上記に説明した構成以外のものであっても良い。
【産業上の利用可能性】
【００６３】
本発明による回転操作型電子部品は、Ｃ形リングが不要でその取り付け工程も不要であるにも拘わらず、操作軸の確実な抜け止め状態が確保でき、かつ組立作業の効率化も図れるという特徴を有し、各種ＡＶ機器の音量調整、音質調整等の入力操作部等を構成する際に有用である。
【図面の簡単な説明】
【００６４】
【図１】本発明の一実施の形態による回転操作型エンコーダの断面図
【図２】同要部である操作軸の外観斜視図
【図３】同操作軸を回転体に挿入した状態の断面図
【図４】図３の状態の底面図
【図５】図３から操作軸を４５度回転させた状態の断面図
【図６】図５の状態の底面図
【図７】図３から操作軸を９０度回転させた状態の断面図
【図８】図７の状態の底面図
【図９】図７の状態から操作軸を引き上げた状態を示す断面図
【図１０】同押圧スイッチ部を押圧操作した状態の断面図
【図１１】他の押圧スイッチ部を組み合わせた回転操作型エンコーダの断面図
【図１２】押圧スイッチ部のない構成の回転操作型エンコーダの断面図
【図１３】従来の回転操作型エンコーダの断面図
【図１４】同操作軸へのＣ形リングの取り付けを説明する断面図
【符号の説明】
【００６５】
４  押えバネ
６  平面接点板
７  固定基板
８  弾性脚
９  弾性接点
１０  スイッチ基板
１０Ａ  凹部
１１Ａ  中央固定接点
１１Ｂ  外周固定接点
１２  ドーム状可動接点
１３  押圧スイッチ部
１４  プッシュ板
１５  取付金具
１５Ａ  脚部
２１，２６  操作軸
２１Ａ  中間部
２１Ｂ，２６Ａ  作動部
２１Ｃ  下端部
２１Ｄ  操作部
２１Ｅ  第一段部
２１Ｆ  第二段部
２２  軸受
２２Ａ  嵌合孔
２２Ｂ  円形突部
２２Ｃ  平板部
２３，２７  回転体
２３Ａ  円板部
２３Ｂ  円筒部
２３Ｃ  貫通孔
２３Ｄ  開口部
２３Ｅ  窪み
２３Ｆ  外周突起
２３Ｇ  内周突起
２４  板状可動接点
２５  ラバードーム
２８  底板部材
２８Ａ  凸部
【図１】
2007311153.tif 000003
【図２】
2007311153.tif 000004
【図３】
2007311153.tif 000005
【図４】
2007311153.tif 000006
【図５】
2007311153.tif 000007
【図６】
2007311153.tif 000008
【図７】
2007311153.tif 000009
【図８】
2007311153.tif 000010
【図９】
2007311153.tif 000011
【図１０】
2007311153.tif 000012
【図１１】
2007311153.tif 000013
【図１２】
2007311153.tif 000014
【図１３】
2007311153.tif 000015
【図１４】
2007311153.tif 000016